(57)【要約】      （修正有）【課題】本発明は、強度に優れて荷崩れが生じ難く、また組み立ても容易で低コストな一枚の直方形状のプランクシートから組み立てられる段ボール箱を提供する。【解決手段】一枚の直方形状のプランクシート１の中央部に位置する直方形状の底板の周囲に縦側板４と横側板３とを形成し、底板の四隅には正方形状の隅部連結板５を形成するとともに、縦側板の外方には内側板６が連結され、当該内側板上の両端部には一対の平行折り罫１１を形成する。【選択図】図２
2020059556.tif 000002
【特許請求の範囲】
【請求項１】
中央部に縦向きの２辺と横向きの２辺が直角に交わる直方形状の底板が形成された、一枚の直方形状のプランクシートから組み立てられる段ボール箱であって、
前記底板の周囲には、前記底板の縦向きの２辺に第１縦折り罫を介して連結している一対の縦側板と、前記底板の横向きの２辺に横折り罫を介して連結している一対の横側板と、が形成されるとともに、前記底板の四隅の角部の外方には、隣り合う縦側板と横側板とを連結する４つの正方形状の隅部連結板が形成され、
前記一対の縦側板の外方には、前記プランクシートと縦方向の長さが等しく、かつ前記縦側板と横方向の幅が等しい一対の内側板が、各々第２縦折り罫を介して連結されており、
さらに当該内側板上の縦方向の両端部近傍には、前記横折り罫を挟む平行な位置に、一対の平行折り罫が各々形成されるとともに、
前記第２縦折り罫は、前記平行折り罫より内側に形成され、当該第２縦折り罫の両端の延長線上には、縦方向の切込みが形成されていることを特徴とする組立式段ボール箱。
【請求項２】
前記内側板の外方に複数の小突起状の差込片を形成するとともに、前記第１縦折り罫と前記横折り罫のうち少なくともいずれか一方の折り罫上には、前記差込片の差込孔が形成されていることを特徴とする請求項１に記載の組立式段ボール箱。
【請求項３】
前記４つの隅部連結板には、前記底板の角部を起点とする対角線上に斜め折り罫が形成されるとともに、当該斜め折り罫は、前記対角線上における角部寄りの前半部に形成され、後半部にはその全長にわたり前記対角線より５ミリメートル程度の平行幅を有する斜め方向の切込みを形成し、さらに当該斜め方向の切込みの先端が前記対角線に対し略４５度の角度を有する鋭角状に形成されて、前記前半部の斜め折り罫に接続していることを特徴とする請求項１又は２に記載の組立式段ボール箱。
【発明の詳細な説明】
【技術分野】
【０００１】
本発明は、イチゴ等青果物の運搬に適した組立式の段ボール箱に関し、一枚の型抜きされたプランクシートから組み立てられる段ボール箱に関するに関するものである。
【背景技術】
【０００２】
収穫された青果物等は、多くの場合はいったん選果場で選果された後に出荷されるのであるが、特にイチゴ等は非常に傷み易いものであるため、その運搬には格別の配慮を要する。
【０００３】
そのため選果した青果物は、はじめにプラ製の透明な容器などにパッキングされ、次いで当該パックを縦横に４つ収容可能な段ボール箱に詰めて出荷される場合が多い。  
【０００４】
従来より、こうした青果物の出荷に使用される段ボール箱は、製造コストや段ボール箱自体の運搬の利便性を考慮し、切込みや折り罫などが型抜きされた一枚の平板状のプランクシートを出荷現場で組み立てるものが多く採用されている。
【０００５】
前述の選果場では、一度に大量の青果物を選果するため、あらかじめ大量の段ボール箱を組み立てておく必要があるが、上記のような平板状のプランクシートから組み立てる段ボール箱は、その組み立てに相応の熟練を要し、人手不足が深刻で熟練した作業員を確保することが困難な昨今の状況にあっては、作業に不慣れな作業員であっても簡単に組み立てられる構造のものが望ましい。
【０００６】
また、青果物を収納した段ボール箱を選果場から出荷する際には、段ボール箱を多段に重ねた状態でトラックに積載するのであるが、走行中のトラックの振動により箱がずれて図１に示すような状態の荷崩れが発生した場合、上段に積載した箱の下の角が、下段の箱の内側の四隅に落ち込んでしまい、収納した青果物を圧迫して傷ませてしまう危険性があるため、段ボールを積み重ねた際にも、角が落ち込まないような対策が必要である。
【０００７】
そこで、こうした対策を施した青果物運搬用の段ボール箱として、例えば特許文献１には、特に「棚片３２」によって、上段に積載した箱の下の角を支持できるようにした棚付き段ボール箱が記載されている。
【０００８】
また同様に、例えば特許文献２には、段ボール箱の開口部の四隅に「上端補強フラップ２３」を形成したものが記載されている。
【先行技術文献】
【特許文献】
【０００９】
【特許文献１】特開平６−５６１４５号公報
【特許文献２】特開２０１３−１９９３１０号公報
【発明の概要】
【発明が解決しようとする課題】
【００１０】
以上のような先行技術を検討してみると、前述のような多段に重ねた際の荷崩れに対して一定の効果は期待できるものの、解決すべき課題として以下の４点を挙げることができる。
【００１１】
先ず第一の課題は、運搬時の振動対策に関するものである。すなわちイチゴ等の青果物は非常に傷みやすいので、前述のような荷崩れが防止できていたとしてもなお、商品が段ボール箱の中でしっかりと保持され、運搬中の微細な振動により箱の中を極力移動しないようにすることが望ましい。
【００１２】
この点に関し、段ボール箱に収納されるイチゴパック等の容器は図７に記載のように四隅の縁が丸められているものが多く、前記特許文献１及び２に記載のような箱の内側の四隅が直角に形成された段ボール箱では、イチゴパック等を収容すると前記箱の内側の四隅に隙間が生じてしまい、運搬中の振動により容器が変形するなどして移動し易いものと思われる。
【００１３】
次に第二の課題は、商品の取り出し易さに関するものである。すなわち従来は、店舗でイチゴ等を販売する際には、搬送されて来た段ボール箱からイチゴパック等を取り出して店頭に陳列する場合が多かったが、昨今では産地直送である旨と鮮度を強調するために、段ボール箱を直接店頭に並べるという販売方法が好まれている。この場合、消費者がイチゴパック等を箱から取り出し易くする配慮が必要である。
【００１４】
この点に関し、上記特許文献１及び２に記載の構造では、「棚片」や「上端補強フラップ」といった部材が箱の開口部を部分的に覆っているため、箱からイチゴパック等を取り出す際には、前記「棚片」や「上端補強フラップ」が邪魔をして取り出し難いものと思われる。
【００１５】
さらに第三の課題は、製造コストに関するものである。この点に関し、前記特許文献１及び２に記載のものは、１枚のプランクシートを型抜きして製造するものであるが、いずれも平面展開図等を参酌すると、型抜き後に廃棄される不要な部分の面積が多く、製造コスト面では無駄の多い設計といえる。
【００１６】
最後に第四の課題は、段ボール箱の組み立て易さに関するものである。この点に関し、段ボール箱に使用する紙には、縦方向又は横方向のいずれかに折れ曲がりやすい紙目があり、当該紙目に沿う方向若しくは紙目と垂直の方向には、比較的正確に折り込み易いという特性がある。ところが段ボール箱の組み立てにあたり、隅部の部材などを斜め４５度の方向に折り込もうとする際には、前記紙目の影響により手早く正確に折り込むことが困難な場合が多い。
【００１７】
この点に関し、前記特許文献１及び２に記載のものは、あらかじめ隅部の部材に斜め４５度の折り罫が設けてあるものの、上記の理由で手早く正確に折り込むことが難しいものと思われる。
【００１８】
本発明は上記課題を解決しようとするものであり、運搬時の振動に強いとともに、収容物が取り出し易く、また１枚のプランクシートから効率よく型抜きすることができて廃棄する不要な部分が殆ど無く、さらには組み立ても容易という性能を有した組立式の段ボール箱を提供することを目的としている。
【課題を解決するための手段】
【００１９】
そして本発明の組立式段ボール箱では、上記目的を達成するための第１の課題解決手段として、中央部に縦向きの２辺と横向きの２辺が直角に交わる直方形状の底板が形成された、一枚の直方形状のプランクシートから組み立てられる段ボール箱であって、前記底板の周囲には、前記底板の縦向きの２辺に第１縦折り罫を介して連結している一対の縦側板と、前記底板の横向きの２辺に横折り罫を介して連結している一対の横側板と、が形成されるとともに、前記底板の四隅の角部の外方には、隣り合う縦側板と横側板とを連結する４つの正方形状の隅部連結板が形成され、前記一対の縦側板の外方には、前記プランクシートと縦方向の長さが等しく、かつ前記縦側板と横方向の幅が等しい一対の内側板が、各々第２縦折り罫を介して連結されており、さらに当該内側板上の縦方向の両端部近傍には、前記横折り罫を挟む平行な位置に、一対の平行折り罫が各々形成されるとともに、前記第２縦折り罫は、前記平行折り罫より内側に形成され、当該第２縦折り罫の両端の延長線上には、縦方向の切込みが形成されていることを特徴とする組立式段ボール箱としたものである。
【００２０】
また第２の課題解決手段は、前記内側板の外方に複数の小突起状の差込片を形成するとともに、前記第１縦折り罫と前記横折り罫のうち少なくともいずれか一方の折り罫上には、前記差込片の差込孔を形成するように構成したものである。
【００２１】
また第３の課題解決手段は、前記４つの隅部連結板には、前記底板の角部を起点とする対角線上に斜め折り罫が形成されるとともに、当該斜め折り罫は、前記対角線上における角部寄りの前半部に形成され、後半部にはその全長にわたり前記対角線より５ミリメートル程度の平行幅を有する斜め方向の切込みを形成し、さらに当該斜め方向の切込みの先端が前記対角線に対し略４５度の角度を有する鋭角状に形成されて、前記前半部の斜め折り罫に接続するように構成したものである。
【００２２】
この発明の第１の課題解決手段によれば、縦側板の外方には内側板が連結されており、箱を組み立てると、当該内側板は縦側板と重なり合うように折り込まれて二重壁構造を形成するため、箱の強度を増すことができる。
【００２３】
さらに前記内側板の両端部近傍を平行折り罫で折り曲げると、箱の内側の四隅に三角柱状のスペーサーが形成され、箱を多段に積み重ねた際に上段の箱の下の角を支える部材として機能する。また当該三角柱状のスペーサーは、箱の内側の四隅に生じる余分な隙間を埋めることにもなるため、収容物をしっかりと保持でき、さらに箱の開口部を覆う構造では無いため、箱から収容物を容易に取り出すこともできる。
【００２４】
またその製造にあたっても、１枚のプランクシートを隅々まで有効活用する巧みな設計が施されているため、廃棄される不要な部分の面積が殆どなく、製造コストを削減することができる。
【００２５】
また第２の課題解決手段によれば、前記内側板の外方に形成された複数の小突起状の差込片が、前記第１縦折り罫や前記横折り罫上の差込孔と嵌合することで、箱を組み立てた際に内側板を外れにくくすることができる。
【００２６】
また第３の課題解決手段によれば、隅部連結板における斜め折り罫が、隅部連結板の対角線上角部寄りの前半部に形成され、後半部は一定の幅を有する斜め方向の切込みとなっているので、斜め折り罫の長さも短く、折り込む際に少ない力で容易に折り込むことができる。
【００２７】
さらに前記切込みの先端部は、略４５度の鋭角状をなして前記前半部の斜め折り罫に接しているので、隅部連結板を折り込む際の正確なきっかけを作り易く、斜め折り罫に沿って正確に折り込むことができる。
【発明の効果】
【００２８】
以上のように本発明の組立式段ボール箱は、箱の組立後の側板部分に二重壁構造が形成されるとともに、小突起でしっかり固定される構造のため強度に優れており、また箱の内側の四隅に形成される三角柱状のスペーサーによって収容物がしっかりと保持されるとともに、多段積載した際にも荷崩れによって収容物を傷ませてしまう危険性が低いので、振動の多いトラックにも多段に積載して運搬することができる。
【００２９】
さらに製造に必要なプランクシートの面積も最小限に抑えることができるので、製造コストにも優れており、また折り込みの難しい位置にある隅部連結板を正確に手早く折り込むことができるので、選果場等で必要な大量の箱の組み立てを迅速に行うことができる。さらには、箱の収容物を取り出し易い構造なので、特に鮮度が重視される青果物等の運搬に適している。
【図面の簡単な説明】
【００３０】
【図１】段ボール箱の荷崩れを示す状態図
【図２】本発明の実施形態であるプランクシートの平面展開図
【図３】同上の段ボール箱の組み立て途中の状態図
【図４】同上の段ボール箱の内側板の端部近傍の拡大図
【図５】同上の段ボール箱の隅部の折込状態を示す状態図
【図６】同上の段ボール箱の組み立て完成図
【図７】同上の段ボール箱にイチゴパックを収容した状態図
【図８】同上の段ボール箱の隅部連結板の拡大図
【発明を実施するための最良の形態】
【００３１】
以下、本発明の実施の形態について説明すると、はじめに図２は、本発明の組立式段ボール箱で使用されるプランクシート１の平面展開図であり、縦方向及び横方向のいずれも対称な構造で、その中央部には底板２が形成されている。当該底板２の形状は、縦向きの２辺と横向きの２辺が直角に交わる直方形状であればよく、特に図２に記載のものでは縦方向に長い長方形状を採用している。またこのほか横方向に長い長方形状や正方形状など所望の形状を選択することもできるので、例えばイチゴパックを収容しようとする際には、イチゴパックを縦横に４つ並べた形状にするなど、収容物に応じて適宜変更すればよい。
【００３２】
同様に、プランクシート１の形状についても直方形状であり、箱に収容しようとする収容物に応じ、形状とサイズが決定されることになる。またその製造工程では、型抜きと同時に所定の個所に点線で示す折り罫や切込みが設けられる。なおプランクシート１の素材には段ボール紙を使用するため、縦方向又は横方向の何れかに折れ曲がりやすい紙目を有している。
【００３３】
また前記底板２の周囲には、前記底板２の縦向きの２辺に各々設けられた第１縦折り罫９を介して連結している一対の縦側板４と、前記底板２の横向きの２辺に各々設けられた横折り罫８を介して連結している一対の横側板３と、が形成されている。
【００３４】
前記縦側板４と横側板３はともに長方形状で、各々前記第１縦折り罫９と横折り罫８に沿って上方に折り曲げることにより、底板２の周囲に等しい高さの側壁を形成する。また前記第１縦折り罫９と横折り罫８は、直線状に折り曲げられるものであるため、底板２の周囲ばかりでなく、底板２の四隅にある角部７で直交した先にも延長し、各々横側板３と縦側板４の両端部まで到達させておく必要がある。
【００３５】
また前記底板２の角部７の外方には、４つの正方形状の隅部連結板５が形成されており、各々の隅部連結板５は、隣り合う縦側板４又は横側板３と横折り罫８又は第１縦折り罫９を介して連結している。
【００３６】
また前記一対の縦側板４の外方には、第２縦折り罫１０を介して一対の内側板６が各々連結されている。この内側板６は、前記プランクシート１と縦方向の長さが等しく、かつ前記縦側板４と横方向の幅が等しく設定されており、図３に示すように縦側板４と横側板３を立ち上げたのちに、第２縦折り罫１０に沿って段ボール箱の内側に折り込むことで、縦側板４の部分の側壁を二重壁構造にして強度を増す機能を担っている。
【００３７】
さらに図４に示すように、各内側板６上には、縦方向の両端部近傍で、前記横折り罫８を挟む平行な位置Y・Y’上に一対の平行折り罫１１・１１’が各々形成されている。また前記第２縦折り罫１０は、前記平行折り罫１１・１１’より内側に形成され、当該第２縦折り罫１０の両端の延長線上には、縦方向の切込み１３が形成されている。
【００３８】
そして、当該縦方向の切込み１３により、前記内側板６の端部近傍は、縦側板４と隅部連結板５から切り離されて、フラップ状の折込片１８が形成されることになる。
【００３９】
そして図５のAに示す状態から、内側板６を縦側板４と重なるように箱の内側に折り込むとともに、フラップ状の折込片１８を、前記二つの平行折り罫１１・１１’に沿って各々４５度程度屈曲させ、その先端部を横側壁３に重ね合わせると、図５のBに示すように箱の隅部に三角柱状のスペーサー１９が形成される。
【００４０】
この三角柱状のスペーサー１９は、箱を多段に積み重ねた際に、上段の箱の下の角を支える部材として機能するため、図１のような、下段の箱の内側の四隅に落ち込む事故を防止することができる。また例えば図７に示すように、四隅の縁が丸いイチゴパックを収納した場合などに生じる箱の隅部の隙間を、三角柱状のスペーサー１９が埋めることにもなるので、運搬中の振動による内容物の移動防止にも貢献する。
【００４１】
さらに、商品の取り出し易さに関しても、消費者が段ボール箱から直接イチゴパック等を取り出そうとする際に、前記三角柱状のスペーサー１９は箱の開口部を覆う構造ではないため邪魔にならず、容易に取り出すことが可能である。なお、前記平行折り罫１１・１１’の位置決めをするにあたっては、図４のCで示す幅の中で前後折り罫８との相対位置を調整すれば、前記三角柱状のスペーサー１９の形状や大きさを適宜調整することができる。
【００４２】
またさらに前記内側板６は、図３及び図５に示すように、直角三角形状に折りたたまれた隅部連結板５を挟み込むようにして、縦側板４の上から内側板６を内側に折り込む構造であるため、隅部連結板５を強固に固定させることができる。そして部分的には４重壁構造にもなるため、特に大きな荷重の加わる隅部の構造が一層強化される。さらに前記フラップ状の折込片１８の先端部も横側壁３の一部と重なる構造であるため、当該部分の側壁の補強にも貢献している。
【００４３】
また、内側板６の外方の適宜の位置に小突起状の差込片を形成するとともに、縦折り罫９又は横折り罫８上に前記差込片の差込孔を形成することで、内側板６を外れにくくすることもできる。
【００４４】
特に図２に示すものでは、内側板６上の平行折り罫１１・１１’より内側の位置に小突起１６‘を形成するとともに、当該小突起１６’を第１縦折り罫９上に形成された差込口１７’に差し込むように組み立てることで、内側板６の中央部が外れにくくしている。また前記平行折り罫１１・１１’より外側の位置にも小突起１６を形成するとともに、当該小突起１６を横折り罫８上に形成された差込口１７に差し込むように組み立てることで、内側板６の先端部にあるフラップ状の折込片１８を外れにくくしている。
【００４５】
また前記隅部連結板５の各々には、図８に示すように、前記底板２の角部７を起点とする対角線X−X’上における角部７寄りの前半部に斜め４５度の斜め折り罫１２が形成されるとともに、前記対角線X−X’の後半部には対角線X−X’より一定の平行幅を有する斜め方向の切込み１４が形成してある。この斜め方向の切込み１４の平行幅については、採用する段ボール紙の厚みに応じて調整すべきものであるが、通常の厚みの場合には５ミリメートル程度を確保しておくことが望ましい。
【００４６】
また前記対角線X−X’の概ね中央部に位置する斜め方向の切込み１４の先端部１５は、前記図８に示すように前記対角線X−X’に対し鋭角状の角度Dで前半部の斜め折り罫１２に接続している。なおこの角度Dについては、その角度が大き過ぎると折れ曲がりの開始位置が先端部１５から外れやすくなるため、斜め折り罫１２に沿って正確に折れ曲がり難くなる。また角度が小さすぎると段ボールの厚みが邪魔をして皺ができたり、先端部１５の位置から斜め折り罫１２が切断しやすくなるため、角度Dには略４５度の角度を採用すると正確に折込むことができるようになる。またこうした機能を発揮するためには、正確な４５度に合わせる必要性は無いものの、少なくとも４５度±５度程度すなわち４０度から５０度の範囲に収めておく必要がある。
【００４７】
最後に、本発明の段ボール箱が如何に優れた効果を奏するものかについて理解を深めるためにも、本発明の段ボール箱の組み立て方について具体的な説明を加える。
【００４８】
前述のように本発明の段ボール箱は、図２に示すような型抜きされて折り罫や切込みが設けられた一枚の直方形状のプランクシート１より組み立てられるものであるが、その組み立にあたっては、初めに底板２の周囲に形成された横折り罫８と第１縦折り罫９に沿って、横方向と縦方向に折り曲げる。前述のように、横折り罫８と第１縦折り罫９は、各々縦側板４と横側板３の両端部まで到達しているので、この折り曲げ作業により、隅部連結板５の周囲の折り罫部分も同時に折り曲げることになる。またこのほか、内側板６が連結されている第２縦折り罫１０や平行折り罫１１・１１’等も、あらかじめ曲げ癖を付けておくことが望ましい。
【００４９】
次に隅部連結板５を、底板２の角部７を起点とする対角線X−X’に沿って折り込む作業が必要となる。この部分の折り込みは、前述のように段ボールの紙目に対し４５度の斜め方向に折ることになるうえに、手で把握できる部分も小さいため力も入れ難く、意図していない個所に折り目が付くなど、折り罫どおりに正確に折り込むことが難しい箇所である。
【００５０】
しかしながら本発明のプランクシート１では、図８に示すように対角線X−X’上の角部７寄りの前半部には斜め折り罫１２が形成されるとともに、後半部には一定の幅を有する斜め方向の切込み１４が形成してあるので、底板２の周囲の横側板３と縦側板４を同時に上方に立ち上げるとともに、隅部連結板５の裏面から対角線X−X’に沿って指を押し当てるなどして折り込む力を加えてゆけば、初めに斜め方向の切込み１４のある部分から隅部連結板５が撓み始め、先端部１５を起点にした折れ曲がりのきっかけを容易に掴むことができる。
【００５１】
そして折れ曲がりはじめた先端部１５は、略４５度の角度を有する鋭角状をなして前記前半部の斜め折り罫１２に接続しているために、隅部連結板５にかかる力が斜め折り罫１２へと正確に誘導され、容易に折り込むことができるようになる。
【００５２】
こうして正確に折り込まれた隅部連結板５は、図５のAに示す状態を経て、二重に畳まれると直角三角形状になる。
【００５３】
そして最後に、直角三角形状に折り畳まれた隅部連結板５が、縦側板４と内側板６の間に挟み込まれるようにして、内側板６を箱の内側に折り込むとともに  フラップ状の折込片１８を二つの平行折り罫１１・１１’に沿って各々４５度程度屈曲させつつ、その先端部を横側壁３に重ね合わせると、図５のBに示すように箱の隅部に三角柱状のスペーサー１９が形成され、各小突起１６・１６’を差込孔１７・１７’に差し込んで固定すれば、図６の組み立て完成図の状態となる。
【産業上の利用可能性】
【００５４】
以上のように本発明の組立式段ボール箱は、荷崩れが生じにくく多段積載にも耐えうる強度を有しているうえに、内容物も取り出し易い構造であり、製造コストにも優れ、箱の組み立てに際しても、手早く正確に折り込むことが可能であるので、特に青果物等の輸送に最適であるが、このほか電気製品など段ボール箱を大量に使用する際に有効に活用することもできる。
【符号の説明】
【００５５】
１  プランクシート、２  底板、３  横側板、４  縦側板、  ５  隅部連結板、６  内側板、７  底板の角部、８  横折り罫、９  第１縦折り罫、１０  第２縦折り罫、１１・１１’  平行折り罫、１２  斜め折り罫  １３  縦方向の切込み、１４  斜め方向の切込み、１５  切込みの先端部、１６・１６’  差込片、１７・１７’  差込孔、１８  フラップ状の折込片、１９  三角柱状のスペーサー、２０  イチゴパック
【図１】
2020059556.tif 000003
【図２】
2020059556.tif 000004
【図３】
2020059556.tif 000005
【図４】
2020059556.tif 000006
【図５】
2020059556.tif 000007
【図６】
2020059556.tif 000008
【図７】
2020059556.tif 000009
【図８】
2020059556.tif 000010